(57)【特許請求の範囲】
【請求項１】
物品収納箱を載置するための載置棚であって、該載置棚は背面枠体、左側枠体、右側枠体、天板と棚面構成部品から構成され、
前記背面枠体は載置棚の背面壁となる枠体で、パイプを逆凹状に折り曲げた左右枠間に前記棚面構成部品を留めるための水平パイプを背面枠体の上枠から下方側に等間隔に棚面数に等しい数だけ張り渡して構成されており、
前記左側枠体、右側枠体は載置棚の左右壁となる同形状枠体で、パイプで四角形に形成され、上下幅は前記背面枠体の上下幅より僅かに短く、横幅は背面枠体の横幅の１／２より僅かに狭く形成され、上枠を背面枠体の上枠の高さに一致させた状態で四角形の一方の縦枠を背面枠体の左右枠にヒンジ結合することにより背面枠体との間の枠体面角度が０度〜９０度を含む範囲で水平旋回可能とされており、他方の縦枠は長さを背面枠体の左右枠と同じ長さにして四角形の下枠よりも下方に突出させてあり、左右枠間には背面枠体の前記水平パイプの最下パイプを除く各パイプ位置より僅かに上となる高さ位置に補強と物品収納箱のはみ出し防止を兼ねる水平パイプが張り渡してあり、
前記棚面構成部品は前横パイプと前後間水平棒からなり、前横パイプは棚面の前面側を構成するパイプで、前記背面枠体、左側枠体、右側枠体を平面視逆凹状に置いた状態の左側枠体、右側枠体の前面側となる縦枠間に棚面数に等しい数だけ背面枠体の前記水平パイプと同じ高さ位置に着脱可能に水平取り付けしてあり、前後間水平棒は前記物品収納箱を支持する棚面を構成すると同時に正面側から見て平面視逆凹状に置いた前記背面枠体、左側枠体、右側枠体の平面視逆凹状の維持、補強と、前記物品収納箱の支持を兼ねる棒で、前記前横パイプと背面枠体の前記水平パイプとの間に各棚に２本ずつが正面側から見て平面視逆ハ字状又はハ字状に水平配置にて着脱可能に張り渡してあり、
前記天板は背面枠体、左側枠体、右側枠体を平面視逆凹状においた状態の上方開放部を覆う四角形天板で、その下面側には背面枠体の上枠、左右枠体の各上枠を上方から跨ぐように挟む凹状部品が各上枠の少なくとも１個所を挟む位置に下向きに取り付けてあり、それら凹状部品にて各上枠を挟んだ状態で前記上方開放部を覆っていることを特徴とする載置棚。
【請求項２】
請求項１に記載の載置棚において、前記天板を取り除き、上方を開放状態にしたことを特徴とするとする載置棚。
【請求項３】
請求項１又は２に記載の載置棚において、前記背面枠体における上枠と最下水平パイプ間には載置した物品収納箱の後方への脱落を防止するための縦棒が複数本、張り渡してあることを特徴とする載置棚。
【発明の詳細な説明】
【技術分野】
【０００１】
本発明は物品を収納した箱を載置するための棚であって、特には、特別の道具を必要とせずに短時間で容易に組立て、折り畳みができる物品収納箱用載置棚に関する。
【背景技術】
【０００２】
棚には段数、横幅が固定で分解できない固定式のものが主流である。しかし、固定式は分解ができないため不使用時の保管に困る問題がある。この問題を解決するため組立て、折り畳み可能な物品載置棚が各種提案されている。
【０００３】
例えば、特許文献１には、移動用車輪を備えた基台フレーム上に、中央棚支持体を立設し、該中央棚支持体の左右両側に、複数の棚部材の一端を所定の間隔で枢着すると共に、前記棚部材の他端を、前記中央棚支持体の左右側方に夫々直立せしめた側面棚支持体に枢着することによって、中央棚支持体と左右一対の側面棚支持体との間に、略水平状態で上下方向に所定間隔で並ぶ棚部材群を支持し、該棚部材群を中央棚支持体側に折り畳んだ際、その折り畳み状態を保持する保持具を設けたことを特徴とする折り畳み自在な収納棚が提案されている。しかし、この収納棚の場合、折り畳んだ状態における垂直方向高さが非常に高くなるため、天井の低い室内での使用や移動に問題がある。
【０００４】
また、特許文献２には、本体ラックが後部フレームと左右フレームからなり、左右フレームが後部フレームにヒンジ連結されており、本体ラック頂部が板状金属片であり、底部が４つの支持脚であり、天板の裏面に少なくとも１個の後部用嵌合パーツ、少なくとも１個の左側用嵌合パーツ、および少なくとも１個の右側用嵌合パーツが設けられ、後部用嵌合パーツおよび左右側用嵌合パーツの位置がそれぞれ後部フレームおよび左右フレームの頂部の板状金属片の位置に対応し、横ワイヤが左横ワイヤと右横ワイヤとからなり、左横ワイヤの片方が左フレームに着脱可能に固定され、もう片方が後部フレームに着脱可能に固定され、右横ワイヤの片方が右フレームに着脱可能に固定され、もう片方が後部フレームに着脱可能に固定され、左右の横ワイヤが同一平面上で三角形の支え面を形成して、三角形の支え面の上に引出しを載せることを特徴とする、ツールなしで快速に組み立てできる収納キャビネットが開示されている。
【０００５】
しかし、この収納キャビネットの場合、左右フレームが後部フレームにヒンジ連結され、ヒンジ連結されていない側が着脱可能な左横ワイヤ、右横ワイヤで繋がれているだけである。また、それら左横ワイヤ、右横ワイヤが同一平面上で三角形の支え面を形成して引出しを載せる支え面を形成しているだけである。ワイヤは圧縮力に弱いため左右フレームの前側支柱にキャビネットの前側斜め横方向から力が加わるとキャビネットの水平形状が変形し易い。また、支え面もワイヤで形成されているため載置引出しの重みで弛み易い。更に、キャビネットの前側部分に支えがないため横幅の少し狭い引出しを載置した場合には、引出しが落下し易い問題がある。
【先行技術文献】
【特許文献】
【０００６】
【特許文献１】特開平０５−２４５００７号公報
【特許文献２】実用新案登録第３２０４３９３号公報
【発明の概要】
【発明が解決しようとする課題】
【０００７】
本発明は、従来技術のこうした問題点を解決するためになされたもので、その課題は、物品を収納した箱を載置するための棚であって、特別の道具を必要とせずに短時間で容易に組立てでき、不使用時には折り畳んでコンパクトに保管できる物品収納箱用載置棚を提供することにある。
【課題を解決するための手段】
【０００８】
前記課題を解決するための請求項１に記載の発明は、物品収納箱を載置するための載置棚であって、該載置棚は背面枠体、左側枠体、右側枠体、天板と棚面構成部品から構成され、背面枠体は載置棚の背面壁となる枠体で、パイプを逆凹状に折り曲げた左右枠間に棚面構成部品を留めるための水平パイプを背面枠体の上枠から下方側に等間隔に棚面数に等しい数だけ張り渡して構成されており、左側枠体、右側枠体は載置棚の左右壁となる同形状枠体で、パイプで四角形に形成され、上下幅は背面枠体の上下幅より僅かに短く、横幅は背面枠体の横幅の１／２より僅かに狭く形成され、上枠を背面枠体の上枠の高さに一致させた状態で四角形の一方の縦枠を背面枠体の左右枠にヒンジ結合することにより背面枠体との間の枠体面角度が０度〜９０度を含む範囲で水平旋回可能とされており、他方の縦枠は長さを背面枠体の左右枠と同じ長さにして四角形の下枠よりも下方に突出させてあり、左右枠間には背面枠体の水平パイプの最下パイプを除く各パイプ位置より僅かに上となる高さ位置に補強と物品収納箱のはみ出し防止を兼ねる水平パイプが張り渡してあり、棚面構成部品は前横パイプと前後間水平棒からなり、前横パイプは棚面の前面側を構成するパイプで、背面枠体、左側枠体、右側枠体を平面視逆凹状に置いた状態の左側枠体、右側枠体の前面側となる縦枠間に棚面数に等しい数だけ背面枠体の水平パイプと同じ高さ位置に着脱可能に水平取り付けしてあり、前後間水平棒は物品収納箱を支持する棚面を構成すると同時に正面側から見て平面視逆凹状に置いた背面枠体、左側枠体、右側枠体の平面視逆凹状の維持、補強と、物品収納箱の支持を兼ねる棒で、記前横パイプと背面枠体の水平パイプとの間に各棚に２本ずつが正面側から見て平面視逆ハ字状又はハ字状に水平配置にて着脱可能に張り渡してあり、天板は背面枠体、左側枠体、右側枠体を平面視逆凹状においた状態の上方開放部を覆う四角形天板で、その下面側には背面枠体の上枠、左右枠体の各上枠を上方から跨ぐように挟む凹状部品が各上枠の少なくとも１個所を挟む位置に下向きに取り付けてあり、それら凹状部品にて各上枠を挟んだ状態で前記上方開放部を覆っていることを特徴とする載置棚載置棚である。
【０００９】
このような構成の載置棚は、特別の工具を使用せずに短時間で簡単に組立てでき、不使用時には特別の工具を使用せずに簡単に分解し、コンパクトな形に折り畳みできる利点を有する。
【００１０】
また、請求項２に記載の発明は、請求項１に記載の載置棚において、前記天板を取り除き、上方を開放状態にしたことを特徴とするとする載置棚である。
【００１１】
このような構成とすれば、最上段の棚に載置する物品収納箱には高さ制限がなくなり、背の高い物品収納箱を載置できる利点がある。
【００１２】
また、請求項３に記載の発明は、請求項１又は２に記載の載置棚において、前記背面枠体における上枠と最下水平パイプ間には載置した物品収納箱の後方への脱落を防止するための縦棒が複数本、張り渡してあることを特徴とする載置棚である。
【００１３】
このように構成にすれば、棚に載置した物品収納箱の側方への脱落を防止することができる。
【図面の簡単な説明】
【００１４】
【図１】本実施形態に係る天板１０のある載置棚１の外観斜視図である。
【図２】載置棚１の各棚に物品収納箱２を載置した状態の外観斜視図である。
【図３】載置棚１の分解斜視図である。
【図４】背面枠体３、左側枠体４、右側枠体５の組立て斜視図である。
【図５】左側枠体４と背面枠体３のヒンジ結合部の拡大図である。
【図６】背面枠体３と左側枠体４、右側枠体５の旋回説明図である。
【図７】平面視逆凹状にした左側枠体４、右側枠体５の前側に３本の前横パイプ６ａを取り付けた状態の斜視図である。
【図８】左側枠体４の右枠４ｂへの前横パイプ６ａの取り付け状態図である。
【図９】前横パイプ６ａを取り付けた枠体に前後間水平棒６ｂを取り付けた斜視図である。
【図１０】背面枠体３の水平パイプ３ｄと前横パイプ６ａの間に前後間水平棒６ｂを逆ハ字状に張り渡した状態図である。
【図１１】背面枠体３の水平パイプ３ｄと前横パイプ６ａの間に前後間水平棒６ｂをハ字状に張り渡した状態図である。
【図１２】前横パイプ６ａへの前後間水平棒６ｂの取付け構造である。
【図１３】前横パイプ６ａへの前後間水平棒６ｂの取付けの別構造である。
【図１４】前横パイプ６ａへの前後間水平棒６ｂの取付けの別構造である。
【図１５】天板６を上面側から見た斜視図である。
【図１６】載置棚１を分解して折り畳んだ状態図である。
【発明を実施するための形態】
【００１５】
以下、本発明に係る物品収納箱を載置するための載置棚の一実施形態について図面を参照して説明する。本発明の物品収納棚には、後述する天板１０を設けた載置棚と、天板１０を設けない載置棚との２種類があるが、以下では天板１０を取り付けた載置棚について説明する。図１は天板１０のある棚数３の載置棚１の外観斜視図、図２はその載置棚１の各棚に物品収納箱２を載置して使用している状態の外観斜視図、図３は載置棚１の分解斜視図である。図３に示すように、載置棚１は背面枠体３、左側枠体４、右側枠体５、天板６と棚面構成部品６により構成されている。棚面構成部品６は３個の前横パイプ６ａと６個の前後間水平棒６ｂである。
【００１６】
図４は背面枠体３、左側枠体４、右側枠体５の各構成、及びそれらの結合構成を示す斜視図である。背面枠体３は載置棚１の背面壁を構成する枠体で、角パイプ又は丸パイプを逆凹状に折り曲げて上枠３ａ、同じ長さの左枠３ｂ、右枠３ｃからなる門型の外周骨格を形成し、その門型骨格の内側に水平、垂直方向にパイプを張り渡したものである。
【００１７】
背面枠体３の左枠３ｂ、右枠３ｃ間には複数の水平パイプ３ｄが張り渡されている。この水平パイプ３ｄは門型骨格を補強すると同時に、棚面を構成する棚面構成部品６を支持してその上に載置される物品収納箱２の荷重を受け止めるパイプである。水平パイプ３ｄのパイプは角パイプでも丸パイプでもよい。水平パイプ３ｄの数は棚面数に等しく、本実施形態の場合は３本である。水平パイプ３ｄは上枠３ａから下方側に等間隔に取り付けられている。その間隔は載置予定の物品収納箱２の高さ寸法より僅かに大きくしてある。更に、背面枠体３には縦方向にも複数本の縦パイプ（又は、棒）３ｅが張り渡されている。縦パイプ３ｅは上枠３ａと最下段の水平パイプ３ｄとの間に各段水平パイプ３ｄを通過して取り付けられている。縦パイプ３ｅは門型骨格を補強すると同時に、載置した物品収納箱２の後方への脱落を防止する。
【００１８】
左側枠体４、右側枠体５は載置棚１の左右壁を構成する枠体であり、図４に示すように背面枠体３の門型外周骨格に使用したと同じ断面のパイプを使用して四角形枠体に形成してある。その左枠４ａ、５ａ、右枠４ｂ、５ｂ間には複数の水平パイプ４ｃ、５ｃが水平に張り渡してある。右枠４ｂ、５ｂは背面枠体３の左右枠３ｂ、３ｃと同じ長さである。左枠４ａ、５ｂはそれより短く、棚間隔に棚段数（本実施形態の場合は３）を掛けた値より少し短くしてある。このため右枠４ｂ、５ｂの下端部は四角形枠体の下枠４ｅ、５ｅよりも下方に突出した状態になっている。
【００１９】
左側枠体４の左枠４ａ、右側枠体５の左枠５ａは、ヒンジ７を使用して背面枠体３の左枠３ｂ、右枠３ｃにそれぞれ水平旋回可能に連結されている。左側枠体４、右側枠体５の上枠４ｄ、上枠５ｄは背面枠体３の上枠３ａと同じ高さにしてある。図５は左側枠体４の左枠４ａを背面枠体３の左枠３ｂに連結しているヒンジ７部分の拡大図である。背面枠体３の左枠３ｂの前側、即ち、左側枠体４を向く側面にＬ形をした一方のヒンジ部品を、左側枠体４の左枠４ａの背面枠体３側側面に他方のＬ形ヒンジ部品を溶接で取り付け、それら二つのヒンジ部品をボルトで水平旋回可能に連結させてある。
【００２０】
図６は背面枠体３に左側枠体４、右側枠体５を連結させた状態の平面図である。左側枠体４、右側枠体５は、それぞれ背面枠体３の左枠３ｂ、右枠３ｃの回りにヒンジ７結合により水平旋回可能である。載置棚１として使用する際は左側枠体４、右側枠体５の枠面を背面枠体３の枠面に対して直角にし、背面枠体３、左側枠体４、右側枠体５を平面視逆凹状配置にする。不使用時に保管する際は、左側枠体４、右側枠体５は図６に示すように旋回させて背面枠体３に重ねる。左側枠体４、右側枠体５の横幅は、背面枠体３の横幅の１／２より僅かに狭くしてあるので、折り畳んだ状態では左側枠体４、右側枠体５は図６、後述の図１６に示すように背面枠体３に完全に重なった状態になる。このように左側枠体４、右側枠体５の枠面と、背面枠体３の枠面との間の角度は０〜９０度を含む範囲で旋回可能にされている。
【００２１】
左側枠体４、右側枠体５の各左右枠間には、複数の水平パイプ４ｃ、５ｃが水平に張り渡してある。水平パイプ４ｃ、５ｃは左側枠体４、右側枠体５を補強すると同時に、載置棚１に載せた物品収納箱２が左側枠体４、右側枠体５から左右外側にはみ出すのを防止する。水平パイプ４ｃ、５ｃは背面枠体３に取り付けた各水平パイプ３ｄの高さ位置より少し上の高さ位置に取り付けてある。その本数は背面枠体３の水平パイプ３ｄの本数より１本少ない。これは、最下段棚に載置された物品収納箱２の左右外側へのはみ出しは、左側枠体４の下枠４ｅ、右側枠体５の下枠５ｅにより防止されるため必要ないからである。
【００２２】
平面視逆凹状に配置した左側枠体４の右枠４ｂ、右側枠体５の右枠５ｂ間、即ち、載置棚１の前側には、図３に示した棚面構成部品６である３本の前横パイプ６ａが着脱可能に水平に張り渡される。３本の各前横パイプ６ａの高さは、背面枠体３に取り付けた３本の水平パイプ３ｄの高さと同じにしてある。図７は、図４に示した平面視逆凹状を構成する左側枠体４、右側枠体５の前側に３本の前横パイプ６ａを取り付けた状態の斜視図である。
【００２３】
図８の（１）は左側枠体４を斜め後方から見た図で、左側枠体４の右枠４ｂへの前横パイプ６ａの取り付け状態を示す図である。図８の（２）は前横パイプ６ａを着脱可能に取り付ける構造を示す拡大図である。右枠４ｂの内側に上方に向かう丸い突起を設けたＬ字状金具８を取付け、該突起の嵌まる穴を下面に設けた前横パイプ６ａを、その穴に突起を嵌めた状態で載置して取り付ける。前横パイプ６ａの本数は棚段数に等しく、各前横パイプ６ａの高さは背面枠体３に取り付けた水平パイプ３ｄの高さに一致させてある。
【００２４】
図９は、図７に示した前横パイプ６ａを取り付けた枠体に前後間水平棒６ｂを取り付けた斜視図である。この図９が、天板１０を設けない載置棚の構成図である。図中の水平棒６ｂは、図３中に示したような両端を短く直角に折り曲げた丸棒である。この前後間水平棒６ｂを、背面枠体３に取り付けた水平パイプ３ｄと、左側枠体４、右側枠体５の右枠４ｂ、５ｂ間に取り付けた前横パイプ６ａの間に逆ハ字状に着脱可能に張り渡してある。
【００２５】
図１０は、前後間水平棒６ｂを取り付けた枠体を枠高さ１／２の部分で水平切断して下方を見た断面図である。前後間水平棒６ｂは背面枠体３の水平パイプ３ｄと前横パイプ６ａの間に逆ハ字状に張り渡してある。逆ハ字状に張り渡す代わりに図１１に示すようにハ字状に張り渡してもよい。前後間水平棒６ｂは棚面を構成する棒で、物品収納箱２の下面に接触してこれを支持する。
【００２６】
加えて、この前後間水平棒６ｂの重要な役割は、載置棚１の水平断面形状を四角形に維持することにある。水平断面が四角形の載置棚１に対して前横方向、あるいは前斜め方向から水平力が加わっても、水平断面を四角形に維持して変形させない機能である。そうした機能を発揮させるため、棚面を構成する前後間水平棒６ｂを逆ハ字状又はハ字状に張り渡してあることは、この載置棚１の大きな特徴である。逆ハ字状又はハ字状に張り渡さずに、左側枠体４、右側枠体５の枠面に平行に張り渡したのでは、左側枠体４の右枠４ｂ、あるいは右側枠体５の右枠５ｂに横方向から力が加わった場合には、水平断面の四角形状が崩れて平行四辺形に変形してしまう。これは、背面枠体３と、左側枠体４、右側枠体５とが枠面直角に固定する機能を備えておらず、ヒンジ７で旋回可能に接続されているのみのためである。これに対して本実施形態の載置棚１では、前後間水平棒６ｂが逆ハ字状又はハ字状に張り渡してあるので、その変形が阻止され、四角形状が維持される。
【００２７】
図１２、図１３、図１４は、前横パイプ６ａへの前後間水平棒６ｂの取付け構造である。前横パイプ６ａは着脱可能に取り付けられる。図１２は、その（１）図に示すように前横パイプ６ａに穴９を設けておき、その穴９に前後間水平棒６ｂの直角に折り曲げた部分を（２）図に示すように差し込んで取り付ける構造である。図１３は（１）図に示すように前横パイプ６ａの側面に、短い丸パイプを上向きに溶接取り付けしておいて、そのパイプの穴に先端を差し込んで取り付ける構造である。図１４は、（１）図に示すように前横パイプ６ａの側面に穴を設けた四角形板を溶接取り付けしておき、その穴に先端を差し込んで取り付ける構造である。何れの構造で製作してもよい。背面枠体３の水平パイプ３ｄ側への取付けも同じような構造で行なう。
【００２８】
図１５は、天板を取り付けるタイプの載置棚に使用する天板１０を上面側から見た斜視図である。天板１０は背面枠体３、左側枠体４、右側枠体５を平面視逆凹状においた状態の上方開放部を覆う四角形板である。その下面側には、背面枠体３の上枠３ａ、左右側枠体４、５の上枠４ｄ、５ｄを上方から跨ぐように挟む凹状部品１０ａが各上枠４ｄ、５ｄの少なくとも１個所を挟む位置に下向きに取り付けてある。それら凹状部品１０ａにて各上枠３ａ、４ｄ、５ｄを挟んだ状態で前記上方開放部を覆うように取り付ける。凹状部品１０ａが各上枠３ａ、４ｄ、５ｄを挟んでいるため、天板６の位置ずれが防止される。天板６を載せた載置棚１の全体外観が図１である。
【００２９】
以上説明した本実施形態の載置棚１は、特別の工具も使用せずに組立て可能である。また、不使用時には、特別の工具も使用せずに分解が可能である。図１６は不使用時の保管のために折り畳んだ状態である。左側枠体４、右側枠体５を背面枠体３の上に折り重ねることができるため、コンパクトになる。なお、各枠体の足にはキャスターを取り付けておくと移動させるのに便利である。天板１０を設けない構成の載置棚の場合は、最上段の棚に載置する物品収納箱には高さ制限がなく、背の高い物品収納箱を載置できる利点がある。
【符号の説明】
【００３０】
図面中、１は載置棚、３は背面枠体、３ａは背面枠体の上枠、３ｂは背面枠体の右枠、３ｃは背面枠体の左枠、３ｄは背面枠体の水平パイプ、３ｅは背面枠体の縦パイプ、４は左側枠体、４ａは左側枠体の左枠、４ｂは左側枠体の右枠、４ｃは左側枠体の水平パイプ、４ｄは左側枠体の上枠、４ｅは左側枠体の下枠、５は右側枠体、５ａは右側枠体の左枠、５ｂは右側枠体の右枠、５ｃは右側枠体の水平パイプ、５ｄは右側枠体の上枠、５ｅは右側枠体の下枠、６は棚面構成部品、６ａは前横パイプ、６ｂは前後間水平棒、７はヒンジ、９は穴、１０は天板、１０ａは凹状部品を示す。
【図１】
0006329300.tif 000002
【図２】
0006329300.tif 000003
【図３】
0006329300.tif 000004
【図４】
0006329300.tif 000005
【図５】
0006329300.tif 000006
【図６】
0006329300.tif 000007
【図７】
0006329300.tif 000008
【図８】
0006329300.tif 000009
【図９】
0006329300.tif 000010
【図１０】
0006329300.tif 000011
【図１１】
0006329300.tif 000012
【図１２】
0006329300.tif 000013
【図１３】
0006329300.tif 000014
【図１４】
0006329300.tif 000015
【図１５】
0006329300.tif 000016
【図１６】
0006329300.tif 000017